(57)【特許請求の範囲】
【請求項１】
操作軸と、
この操作軸の所定の回転量毎に所定の電気的信号を出力するエンコーダと、
この電気的信号が入力され、その入力数に応じてデジタル表示値を変化させる表示手段と、
上記電気的信号が入力され、そのパルスの無入力時間を計測する無入力期間測定手段と、
所定秒以内に所定パルスの信号入力がなされたら、上記電気的信号の上記表示手段への入力を許可し、上記無入力時間が所定の期間以上となったら当該電気的信号の表示手段への入力を禁止する入力制御手段とを備える設定値入力装置。
【請求項２】
入力制御手段は、所定秒以内に右回転の所定パルスおよび左回転の所定パルスの信号入力がなされたら、電気的信号の表示手段への入力を許可し、上記電気的信号のパルスの無入力時間が所定の期間以上となったら上記電気的信号の表示手段への入力を禁止することを特徴とする請求項１記載の設定値入力装置。
【発明の詳細な説明】
【０００１】
【発明の属する技術分野】
この発明は設定時刻や設定温度などの数値を入力するための設定値入力装置に係る空調装置において、その温度などを入力する場合に好適に用いることができる設定値入力装置に関するものである。
【０００２】
【従来の技術】
特開平３−６７９２５号公報や特開平９−１１２９１５号公報には、加熱調理器などにおいてその調理時間を入力するロータリエンコーダを用いた設定値入力装置が開示されている。図４はこのような加熱調理器において用いられている従来の設定値入力装置の操作パネルを示す正面図である。図において、２１はデジタル液晶表示器、２２はそれぞれ設定スイッチ、２３は温度設定ボリューム、２４は時間設定用のロータリエンコーダである。
【０００３】
そして、このような設定値入力装置では、上記各種の設定スイッチ２２を押して所定の調理方法を選択した後、必要に応じて上記温度設定ボリューム２３や時間設定用のロータリエンコーダ２４を回転し、所定の値に設定することにより、所定の調理を行うことができる。また、上記デジタル液晶表示器２１はこの調理時間の設定値などを表示する。
【０００４】
【発明が解決しようとする課題】
従来の設定値入力装置は以上のように構成されているので、ロータリエンコーダ２４の回転軸およびそれに取り付けられた操作つまみが操作パネルのパネル面から突出した状態に配設されることになるので、これを農作物の栽培に利用される、所謂ビニールハウスの温度制御などを行う空調装置において、その温度などの運転スケジュールを入力する時に利用した場合、農業従事者などが農作業中に誤ってこの突出した操作つまみに触れてしまったり、この操作パネルを取り付けたビニールハウスや燃焼装置に用いるバーナの振動などによってロータリエンコーダ２４の回転軸が回転してしまうなどの課題があった。そして、このようにロータリエンコーダ２４の回転軸が回転してしまうと、その時に表示していた例えば設定温度などの値が知らず知らずのうちに変更されてしまうこととなり、ビニールハウスの温度を適切に制御することができなくなってしまうなどの問題が生じる。
【０００５】
この発明は上記のような課題を解決するためになされたもので、ロータリエンコーダ２４を用いた良好な操作性はそのままに維持しつつ上記不慮の設定を防止し、これにより農作物の栽培に利用される、所謂ビニールハウスの温度制御などを行う空調装置において、その温度などの運転スケジュールを入力する場合に好適に用いることができる設定値入力装置を得ることを目的とする。
【０００６】
【課題を解決するための手段】
この発明に係る設定値入力装置は、操作軸と、この操作軸の所定の回転量毎に所定の電気的信号を出力するエンコーダと、この電気的信号が入力され、その入力数に応じてデジタル表示値を変化させる表示手段と、電気的信号が入力され、そのパルスの無入力時間を計測する無入力期間測定手段と、所定秒以内に所定パルスの信号入力がなされたら、電気的信号の表示手段への入力を許可し、無入力時間が所定の期間以上となったら当該電気的信号の表示手段への入力を禁止する入力制御手段とを備えるものである。
【０００７】
この発明に係る設定値入力装置は、入力制御手段は、所定秒以内に右回転の所定パルスおよび左回転の所定パルスの信号入力がなされたら、電気的信号の表示手段への入力を許可し、電気的信号のパルスの無入力時間が所定の期間以上となったら電気的信号の表示手段への入力を禁止するものである。
【０００８】
【発明の実施の形態】
以下、この発明の実施の一形態を説明する。
実施の形態１．
図１はこの発明の実施の形態１による空調用ヒータ制御装置を用いたビニールハウスなどの農作物用ハウス用の空調システムの構成を示すブロック図である。図において、１はビニールハウスなどの農作物用ハウス、２はこの農作物用ハウス１内に設置された１乃至複数の温度センサ、３はこの農作物用ハウス１内に暖気を送り込む燃焼装置、４はこの農作物用ハウス１内に外気を取り込む送風装置、５はこの１乃至複数の温度センサ２からの検出温度が所定の設定温度となるように上記燃焼装置３および送風装置４を制御する制御装置である。
【０００９】
制御装置５において、６は設定温度などを入力するエンコーダなどの入力手段、７は入力手段６で設定された設定温度などを記憶する記憶手段、８は現在時刻情報を出力する時計手段、９は設定時の設定操作内容や現在の運転状況などを表示する表示手段、１０はこれらの手段からの情報とともに上記温度センサ２の検出温度情報が入力され、これらに基づいて燃焼装置３および送風装置４を制御するための制御信号を出力するマイクロコンピュータなどの制御本体、１１はこの制御信号に従って燃焼装置３の燃焼ＯＮ／ＯＦＦや燃焼温度を制御する燃焼装置制御部、１２はこの制御信号に従って送風装置４の送風ＯＮ／ＯＦＦを制御する送風装置制御部である。
【００１０】
図２はこの発明の実施の形態１による制御装置の操作パネルの配置を示す正面図である。図において、１３は操作パネル、１４は運転ランプ、１５はエラーランプ、１６は現在の温度をデジタル表示する表示する現在温度表示器、１７は設定温度や設定時刻をデジタル表示する設定温度表示器、１８は設定温度表示器１７の表示内容を設定温度と設定時刻との間で切り替る表示切替スイッチ、１９は時刻表示の際に設定温度表示器１７に現在時刻を表示させる時刻表示スイッチ、２０は両方向に回転可能な操作軸を備えるとともに、その操作軸の所定の回転量毎にパルス信号を制御本体１０へ出力するロータリエンコーダである。
【００１１】
次に動作について説明する。
図３はこの発明の実施の形態１によるロータリエンコーダの操作に基づいて制御本体１０において繰り返し実施される処理動作を示すフローチャートである。図において、ＳＴ１はパルス入力の有無に基づいて操作軸が操作されているか否かを判断する操作有無判断ステップ、ＳＴ２は設定値変更禁止が解除されているか否かを判断する解除判断ステップ、ＳＴ３はパルスの入力数に応じた分、制御本体１０が保持する値を増減し、この増減された値を設定温度表示器１７に表示させる設定値変更ステップ、ＳＴ４はパルスの入力パターンに基づいて所定の解除パターンの操作がなされたか否かを判断する操作判断ステップ、ＳＴ５は設定値変更禁止を解除する解除ステップである。また、ＳＴ６は操作がなされなくなってからＴ秒が経過したか否かを判断する無操作時間判断ステップ、ＳＴ７はパルスの入力を禁止する設定値変更禁止ステップである。
【００１２】
従って、このような制御本体１０の動作の下で空調システムに温度や時刻の設定を行う場合には、表示切替スイッチ１８や時刻表示スイッチ１９を操作して、設定温度表示器１７に時刻あるいは温度のいずれか一方を表示させ、その表示状態においてロータリエンコーダ２０に対して所定の操作を行って設定変更禁止を解除する。解除後は、ロータリエンコーダ２０の入力により表示内容の設定変更を行う。設定温度表示器１７に設定温度を表示させた状態でロータリエンコーダ２０を右に回せば設定温度を高くすることができ、ロータリエンコーダ２０を左に回せば設定温度を低くすることができる。また、その変更された数値が設定温度表示器１７に表示される。そして、最後の設定値変更操作からＴ秒が経過すると、再び設定値の変更は禁止される。逆に、Ｔ秒以内に次の操作をした場合にはすぐにその値が増減することになり、温度と時刻のように複数の設定が必要であったとしても、１回の解除操作でこれら複数の設定を変更することができるので、このような解除操作が操作性全体を損なってしまうことはない。
【００１３】
そして、このような設定がなされると上記空調システムは、その設定温度や設定時刻に応じた動作を開始し、制御本体１０は記憶手段７の記憶内容、時計手段８の現在時刻、温度センサ２のビニールハウスの家屋検出温度に基づいて制御動作を開始する。具体的には、まず、時計手段８から入力される現在時刻と各種の開始時刻とを比較し該当する時間帯の設定温度を読み出す。次に、この設定温度と温度センサ２の検出温度とを比較し、設定温度よりも検出温度が低ければ燃焼装置制御部１１に対して燃焼を開始させる制御信号を出力し、設定温度よりも検出温度が高ければ送風装置制御部１２に対してファン運転を開始させる制御信号を出力する。そして、この検出温度が設定温度に対して許容できる範囲内の温度となったら、上記各制御部１１，１２へ停止させる制御信号を出力する。そして、この動作を繰り返すことで、ビニールハウスなどの農作物用ハウス１内の温度を適切な温度に保ち、農作物の健全な育成を促進することができる。
【００１４】
ところで、上記操作判断ステップＳＴ４において要求されるパルスの入力パターンとしては如何なるものであってもよいが、例えば、１秒以内に右方向に５パルス分（回転量として１０°）以上の操作を行う入力パターンや、３秒以内に右方向に５パルス分（回転量として１０°）以上の操作を行った後更に左方向に５パルス分（回転量として１０°）以上の操作を行う入力パターンや、５秒以内に右方向に１周分以上の操作を行う入力パターンなどであればよい。
【００１５】
なお、この実施の形態１のようにロータリエンコーダ２０自体の回転のみで解除するのではなく、他のスイッチの入力と合わせて解除するようにしてもかまわない。
【００１６】
以上のように、この実施の形態１によれば、操作軸と、この操作軸の所定の回転量毎に所定のパルス信号を出力するエンコーダ２０と、デジタル表示値を表示する設定温度表示器１７と、上記パルス信号が入力され、そのパルスの無入力時間を計測するとともに、無入力時間が所定の期間以上となったら当該パルス信号に基づく設定温度表示器１７の表示値の変更を禁止する制御本体１０とを備えるので、上記操作軸を操作することで上記設定温度表示器１７に表示されたデジタル表示値を変更することができ、しかも、上記無入力時間の経過の後は次の操作を開始しない限り、設定温度表示器１７はパルス信号が入力されたとしてもその入力数に応じてデジタル表示値を変化させることはない。
【００１７】
従って、農作物の栽培に利用される農作物用ハウス１の温度制御などを行う空調装置において、その温度などを入力する操作パネルなどのパネル面から突出した状態でこの操作軸が配設され、農業従事者などが農作業中に誤ってこの突出した操作軸に触れてしまったり、この操作パネルを取り付けた農作物用ハウス１や燃焼装置３に用いるバーナの振動などによって操作軸が回転してしまったとしても、その時に表示していた例えば設定温度などの値が知らず知らずのうちに変更されてしまうことはなく、農作物用ハウス１の温度を適切に制御することができる効果がある。
【００１８】
この実施の形態１によれば、制御本体１０はパルス信号が入力され、所定数のパルスが連続的に入力されたら当該パルス信号に基づく設定温度表示器１７の表示値の変更を許可するので、操作軸を操作するだけで特別な操作をすることなく設定温度表示器１７の値変更禁止を解除することができる効果がある。従って、不慣れな農業従事者などにおいても容易にその設定を変更することができる効果がある。
【００１９】
【発明の効果】
以上のように、この発明によれば、操作軸と、この操作軸の所定の回転量毎に所定の電気的信号を出力するエンコーダと、この電気的信号が入力され、その入力数に応じてデジタル表示値を変化させる表示手段と、上記電気的信号が入力され、そのパルスの無入力時間を計測する無入力期間測定手段と、上記無入力時間が所定の期間以上となったら当該電気的信号の表示手段への入力を禁止する入力制御手段とを備えるので、上記操作軸を操作することで上記表示手段に表示されたデジタル表示値を変更することができ、しかも、上記無入力時間の経過の後は次の操作を開始しない限り、表示手段は電気的信号が入力されたとしてもその入力数に応じてデジタル表示値を変化させることはない。
【００２０】
従って、農作物の栽培に利用される所謂ビニールハウスの温度制御などを行う空調装置において、その温度などを入力する操作パネルなどのパネル面から突出した状態でこの操作軸が配設され、農業従事者などが農作業中に誤ってこの突出した操作軸に触れてしまったり、この操作パネルを取り付けたビニールハウスや燃焼装置に用いるバーナの振動などによって操作軸が回転してしまったとしても、その時に表示していた例えば設定温度などの値が知らず知らずのうちに変更されてしまうことはなく、ビニールハウスの温度を適切に制御することができる効果がある。
【００２１】
この発明によれば、入力制御手段は電気的信号が入力され、所定パターンの信号入力がなされたら当該電気的信号の表示手段への入力を許可するので、操作軸を操作するだけで特別な操作をすることなく表示手段への入力禁止を解除することができる効果がある。従って、不慣れな農業従事者などにおいても容易にその設定を変更することができる効果がある。
【図面の簡単な説明】
【図１】この発明の実施の形態１による空調用ヒータ制御装置を用いたビニールハウスなどの農作物用ハウス用の空調システムの構成を示すブロック図である。
【図２】この発明の実施の形態１による制御装置の操作パネルの配置を示す正面図である。
【図３】この発明の実施の形態１によるロータリエンコーダの操作に基づいて制御本体において繰り返し実施される処理動作を示すフローチャートである。
【図４】従来の設定値入力装置の操作パネルを示す正面図である。
【符号の説明】
１０  制御本体（無入力期間測定手段、入力制御手段）
１７  設定温度表示器（表示手段）
２０  ロータリエンコーダ（操作軸、エンコーダ）
【図１】
0003566140.tif 000002
【図２】
0003566140.tif 000003
【図３】
0003566140.tif 000004
【図４】
0003566140.tif 000005